(57)【要約】【課題】  パワーユニットの振動が車体に伝達されることを抑制し、車両の操縦安定性を高め、乗り心地を良くする。【解決手段】  車両１０のパワーユニット支持装置６０は、動力源５１と減速機５２とを車幅方向に並べて互いに結合した構成の横置き型のパワーユニット５０を、パワーユニット収容室に収容し、パワーユニットの静荷重を、パワーユニットの重心Ｇｃよりも下方に配置された静荷重支持マウント６１〜６３で支持したものであり、動力源のうち減速機とは反対側の端部に配置される動力源側マウント６４、及び、減速機のうち動力源とは反対側の端部に配置される減速機側マウント６５を設けた。車両を正面から見たときに、動力源側マウントのばね軸線Ｖｒ１と減速機側マウントのばね軸線Ｖｒ２とは、パワーユニットの重心の位置よりも上方で交差するように、それぞれ傾斜している。【選択図】      図６
2006188078.tif 000002
【特許請求の範囲】
【請求項１】
動力源と減速機とを車幅方向に並べて互いに結合した構成の横置き型のパワーユニットを、車両のパワーユニット収容室に収容し、前記パワーユニットの静荷重を、パワーユニットの重心よりも下方に配置された静荷重支持マウントで支持した車両のパワーユニット支持装置において、
前記車両のパワーユニット支持装置は、前記動力源のうち前記減速機とは反対側の端部に配置される動力源側マウント、及び、前記減速機のうち前記動力源とは反対側の端部に配置される減速機側マウントを設け、
前記車両を正面から見たときに、前記動力源側マウントのばね軸線と前記減速機側マウントのばね軸線とを、前記パワーユニットの重心の位置よりも上方で交差するように、それぞれ傾斜させたことを特徴とする車両のパワーユニット支持装置。
【請求項２】
動力源と減速機とを車幅方向に並べて互いに結合した構成の横置き型のパワーユニットを、車両のパワーユニット収容室に収容し、前記パワーユニットの静荷重を、パワーユニットの重心よりも下方に配置された静荷重支持マウントで支持した車両のパワーユニット支持装置において、
前記車両のパワーユニット支持装置は、前記動力源のうち前記減速機とは反対側の端部に配置される動力源側マウント、及び、前記減速機のうち前記動力源とは反対側の端部に配置される減速機側マウントを設け、
前記車両を正面から見たときに、前記動力源側マウントの減衰軸線と前記減速機側マウントの減衰軸線とを、前記パワーユニットの重心の位置よりも上方で交差するように、それぞれ傾斜させたことを特徴とする車両のパワーユニット支持装置。
【請求項３】
動力源と減速機とを車幅方向に並べて互いに結合した構成の横置き型のパワーユニットを、車両のパワーユニット収容室に収容し、前記パワーユニットの静荷重を、パワーユニットの重心よりも下方に配置された静荷重支持マウントで支持した車両のパワーユニット支持装置において、
前記車両のパワーユニット支持装置は、前記動力源のうち前記減速機とは反対側の端部に配置される動力源側マウント、及び、前記減速機のうち前記動力源とは反対側の端部に配置される減速機側マウントを設け、
これらの動力源側マウント及び減速機側マウントは、それぞれ所定の上下軸方向の減衰軸線及びこの上下軸方向の減衰軸線に対する軸直角方向の減衰軸線を有し、
これら各軸直角方向の減衰軸線は、前記車両を上から見たときに、車両の前後方向及び車幅方向に対してそれぞれ傾斜していることを特徴とした車両のパワーユニット支持装置。
【請求項４】
前記車両を上から見たときに、前記各軸直角方向の減衰軸線は、互いに直角に交差するように傾斜していることを特徴とした請求項３記載の車両のパワーユニット支持装置。
【発明の詳細な説明】
【技術分野】
【０００１】
本発明は、エンジン等の動力源の出力軸を車幅方向に向けた、いわゆる横置き型パワーユニットを車体にマウントするための、パワーユニット支持装置に関する。
【背景技術】
【０００２】
一般的な車両のパワーユニットとしては、縦置き型パワーユニットと横置き型パワーユニットとがある。縦置き型パワーユニットは、動力源と減速機とを車体前後方向に並べて互いに結合した構成である。
【０００３】
一方、横置き型パワーユニットは、動力源と減速機とを車幅方向に並べて互いに結合した構成である。このような横置き型パワーユニットは、例えば、エンジンのクランク軸を車幅方向に延ばし、その先端に減速機たるトランスミッションの入力軸を連結したものである。横置き型パワーユニットを車両のパワーユニット収容室（エンジンルーム）に収容するので、パワーユニット収容室の前後方向の長さを小さくすることができる。
このような横置き型パワーユニットを車体にマウントするための、パワーユニット支持装置が各種知られている（例えば、特許文献１参照。）。
【特許文献１】特開２００４−１４８８４３公報
【０００４】
特許文献１に示す従来の車両のパワーユニット支持装置を、次の図１０に基づいて説明する。図１０（ａ），（ｂ）は従来の車両のパワーユニット支持装置の説明図である。（ａ）は車両のパワーユニット及びパワーユニット支持装置の平面構成を示し、（ｂ）は車両のパワーユニット及びパワーユニット支持装置の背面構成を示す。
【０００５】
従来の車両のパワーユニット支持装置２００は、エンジン２０１とトランスミッション２０２とを車幅方向に並べて互いに結合することで構成された横置き型パワーユニット２０３を、サブフレーム２０４を介して車体２０５にマウントしたというものである。
詳しくは、エンジン２０１の重心２１１よりも下方でサブフレーム２０４に取り付けられたフロントマウント２１２、リヤマウント２１３並びにトランスロアマウント（図示せず）により、パワーユニット２０３の静荷重を受けることができる。
さらに、エンジン２０１の重心２１１よりも上方で車体２０５に取り付けられた左右のマウント（サイドエンジンマウント２１４並びにトランスアッパマウント２１５）により、パワーユニット２０３を支持することができる。
【０００６】
ところで、車両２００の操縦安定性を高めるとともに乗り心地を良くするには、パワーユニット２０３の振動が車体２０５に伝達されることを抑制するだけではなく、走行中にパワーユニット２０３の挙動が車体２０５に影響を与えないことが求められる。
例えば、車両２００を左又は右へ旋回させたときには、旋回中の車両２００に遠心力がかかる。このとき、パワーユニット２０３は慣性によって、その場に止まろうとする。車両２００の操縦安定性や乗り心地を十分に高めるには、重量物であるパワーユニット２０３の挙動が車体２０５に及ぼす影響を、抑制することが好ましい。
【発明の開示】
【発明が解決しようとする課題】
【０００７】
本発明は、パワーユニットの振動が車体に伝達されることを抑制し、しかも、車両の操縦安定性を高めるとともに乗り心地を良くすることができる技術を提供することを課題とする。
【課題を解決するための手段】
【０００８】
請求項１に係る発明は、動力源と減速機とを車幅方向に並べて互いに結合した構成の横置き型のパワーユニットを、車両のパワーユニット収容室に収容し、パワーユニットの静荷重を、パワーユニットの重心よりも下方に配置された静荷重支持マウントで支持した車両のパワーユニット支持装置において、
車両のパワーユニット支持装置に、動力源のうち減速機とは反対側の端部に配置される動力源側マウント、及び、減速機のうち動力源とは反対側の端部に配置される減速機側マウントを設け、
車両を正面から見たときに、動力源側マウントのばね軸線と減速機側マウントのばね軸線とを、パワーユニットの重心の位置よりも上方で交差するように、それぞれ傾斜させたことを特徴とする。
【０００９】
請求項２に係る発明は、動力源と減速機とを車幅方向に並べて互いに結合した構成の横置き型のパワーユニットを、車両のパワーユニット収容室に収容し、パワーユニットの静荷重を、パワーユニットの重心よりも下方に配置された静荷重支持マウントで支持した車両のパワーユニット支持装置において、
車両のパワーユニット支持装置に、動力源のうち減速機とは反対側の端部に配置される動力源側マウント、及び、減速機のうち動力源とは反対側の端部に配置される減速機側マウントを設け、
車両を正面から見たときに、動力源側マウントの減衰軸線と減速機側マウントの減衰軸線とを、パワーユニットの重心の位置よりも上方で交差するように、それぞれ傾斜させたことを特徴とする。
【００１０】
請求項３に係る発明は、動力源と減速機とを車幅方向に並べて互いに結合した構成の横置き型のパワーユニットを、車両のパワーユニット収容室に収容し、パワーユニットの静荷重を、パワーユニットの重心よりも下方に配置された静荷重支持マウントで支持した車両のパワーユニット支持装置において、
車両のパワーユニット支持装置に、動力源のうち減速機とは反対側の端部に配置される動力源側マウント、及び、減速機のうち動力源とは反対側の端部に配置される減速機側マウントを設け、
これらの動力源側マウント及び減速機側マウントが、それぞれ所定の上下軸方向の減衰軸線及びこの上下軸方向の減衰軸線に対する軸直角方向の減衰軸線を有し、
これら各軸直角方向の減衰軸線は、車両を上から見たときに、車両の前後方向及び車幅方向に対してそれぞれ傾斜していることを特徴とする。
【００１１】
請求項４に係る発明は、車両を上から見たときに、各軸直角方向の減衰軸線が、互いに直角に交差するように傾斜していることを特徴とする。
【発明の効果】
【００１２】
請求項１に係る発明では、横置き型のパワーユニットの静荷重を、パワーユニットの重心よりも下方に配置された静荷重支持マウントで支持するパワーユニット支持装置において、車両を正面から見たときに、動力源のうち減速機とは反対側の端部に配置される動力源側マウントのばね軸線と、減速機のうち動力源とは反対側の端部に配置される減速機側マウントのばね軸線とを、パワーユニットの重心の位置よりも上方で交差するように、それぞれ傾斜させたので、静荷重支持マウント、動力源側マウント及び減速機側マウントからなるマウント全体の弾性中心を上方に移動して、パワーユニットの重心の位置に概ね一致させることができる。
【００１３】
この結果、例えば、車両を旋回させたときに、パワーユニットの慣性力によるモーメントは、ほとんど働かない。車体に対し、パワーユニットはロール運動（車体の前後軸周りの運動）をほとんどすることなく、ほぼ水平方向に変位するだけである。このように、走行中に重量物である横置き型のパワーユニットの挙動が車体に及ぼす影響を、抑制することができる。車両の操縦安定性を一層高めるとともに、乗り心地を一層良くすることができる。しかも、マウント全体の弾性中心を最適な高さに設定するのに、パワーユニットの重心の位置に対して、動力源側マウント及び減速機側マウントの支持高さを比較的自由に設定することができる。従って、車両設計の自由度を高めることができる。
さらには、このような静荷重支持マウント、動力源側マウント及び減速機側マウントを設けたので、横置き型のパワーユニットの振動が車体に伝達されることを抑制することができる。
【００１４】
請求項２に係る発明では、横置き型のパワーユニットの静荷重を、パワーユニットの重心よりも下方に配置された静荷重支持マウントで支持するパワーユニット支持装置において、車両を正面から見たときに、動力源のうち減速機とは反対側の端部に配置される動力源側マウントの減衰軸線と、減速機のうち動力源とは反対側の端部に配置される減速機側マウントの減衰軸線とを、パワーユニットの重心の位置よりも上方で交差するように、それぞれ傾斜させたので、動力源側マウント及び減速機側マウントは上下方向だけでなく、左右方向（水平方向）にも減衰作用を発揮する。
【００１５】
この結果、例えば、車両を旋回させたときに、パワーユニットの慣性力によるモーメントは、左右方向（水平方向）の減衰作用により減衰される。車体に対し、パワーユニットはロール運動をほとんどすることなく、ほぼ水平方向に変位するだけである。このように、走行中に重量物である横置き型のパワーユニットの挙動が車体に及ぼす影響を、抑制することができる。車両の操縦安定性を一層高めるとともに、乗り心地を一層良くすることができる。しかも、マウント全体の弾性中心及び減衰中心を最適な高さに設定するのに、パワーユニットの重心の位置に対して、動力源側マウント及び減速機側マウントの支持高さを比較的自由に設定することができる。従って、車両設計の自由度を高めることができる。
さらには、このような静荷重支持マウント、動力源側マウント及び減速機側マウントを設けたので、横置き型のパワーユニットの振動が車体に伝達されることを抑制することができる。
【００１６】
請求項３に係る発明では、横置き型のパワーユニットの静荷重を、パワーユニットの重心よりも下方に配置された静荷重支持マウントで支持するパワーユニット支持装置において、動力源のうち減速機とは反対側の端部に配置される動力源側マウント、及び、減速機のうち動力源とは反対側の端部に配置される減速機側マウントを設け、これらのマウントが、それぞれ所定の上下軸方向の減衰軸線及びこの上下軸方向の減衰軸線に対する軸直角方向の減衰軸線を有し、車両を上から見たときに、各軸直角方向の減衰軸線を車両の前後方向及び車幅方向に対してそれぞれ傾斜させたので、パワーユニットの前後方向及び車幅方向の各荷重（振動を含む）を効率良く抑制することができる。
このため、車両がロール運動、ピッチ運動、ヨー運動等の挙動をした際に、重量物である横置き型のパワーユニットの慣性による挙動が車体に及ぼす影響を、抑制することができる。従って、車両の操縦安定性をより一層高めるとともに、乗り心地をより一層良くすることができる。
さらには、このような静荷重支持マウント、動力源側マウント及び減速機側マウントを設けたので、横置き型のパワーユニットの振動が車体に伝達されることを抑制することができる。
【００１７】
請求項４に係る発明では、車両を上から見たときに、各軸直角方向の減衰軸線を、互いに直角に交差するように傾斜させたので、パワーユニットの前後方向及び車幅方向の各荷重（振動を含む）を、より一層効率良く抑制することができる。
【発明を実施するための最良の形態】
【００１８】
本発明を実施するための最良の形態を、添付図に基づいて以下に説明する。なお、「前」、「後」、「左」、「右」、「上」、「下」は運転者から見た方向に従い、Ｆｒは前側、Ｒｒは後側、Ｌは左側、Ｒは右側、Ｕｐは上側、Ｄｗは下側、ＣＬは車幅中心（車体中心、車幅中心線）を示す。
図１は本発明に係る車両の前部及びパワーユニット支持装置の正面図である。図２は本発明に係る車両の前部及びパワーユニット支持装置の平面図である。図３は本発明に係る車両の前部及びパワーユニット支持装置の斜視図である。
【００１９】
図１及び図２に示すように、車両１０は車体２０の前部に備えたパワーユニット収容室３１（図１に示すエンジンルーム３１）にパワーユニット５０を収容し、このパワーユニット５０のエンジン５１で図示せぬ前輪を駆動する駆動方式の、フロントエンジン・フロントドライブ車と称する自動車である。
なお、車両１０は、エンジン５１で後輪を駆動する駆動方式のフロントエンジン・リヤドライブ車や、エンジン５１で前輪並びに後輪を駆動する駆動方式の４輪駆動車と称するものであってもよい。
【００２０】
車体２０の前部は、前後に延びる左右のフロントサイドフレーム２１Ｌ，２１Ｒと、これらのフロントサイドフレーム２１Ｌ，２１Ｒの上方で前後に延びる左右のアッパフレーム２２Ｌ，２２Ｒと、左右のフロントサイドフレーム２１Ｌ，２１Ｒの後端部から後方へ延びる左右のフロアフレーム２３Ｌ，２３Ｒとを、主要な構成メンバとした車体フレームである。左右のフロントサイドフレーム２１Ｌ，２１Ｒは後端部の内側面に、それぞれブラケット２４Ｌ，２４Ｒ（図２参照）を備える。２５Ｌ，２５Ｒはサイドアウトリガーである。
【００２１】
このような車体２０は、図１〜図３に示すように、左右のフロントサイドフレーム２１Ｌ，２１Ｒの前部と、左右のブラケット２４Ｌ，２４Ｒとに、前後左右４個の防振用弾性ブッシュ３２・・・（・・・は複数を示す。以下同じ。）を介して、フロントサブフレーム４０を吊り下げた構成である。
【００２２】
フロントサブフレーム４０は、前後に延びる平面視略井桁状（♯状）又はロ字状を呈し、車体２０の前後方向に延びる左右の縦メンバ４１Ｌ，４１Ｒと、これらの縦メンバ４１Ｌ，４１Ｒの前端間に掛け渡すべく車体２０の左右方向に延びる前部横メンバ４２と、左右の縦メンバ４１Ｌ，４１Ｒの後端間に掛け渡すべく車体の左右方向に延びる後部横メンバ４３とからなる。
このフロントサブフレーム４０には、図示せぬフロントサスペンション及びステアリングギヤボックスを取付けることができる。このようなフロントサブフレーム４０は、車体２０の一部であるので、特に説明をしない場合には車体２０にフロントサブフレーム４０を含むものとする。
【００２３】
図１及び図２に示すように、パワーユニット５０は、エンジン５１とトランスミッション５２とを車幅方向に並べて互いに結合した構成の、いわゆる横置き型のパワーユニットである。エンジン５１は、出力軸を車幅方向に向けた動力源である。トランスミッション５２は、入力軸をクラッチ等を介してエンジン５１の出力軸に連結した減速機兼変速機である。
車体２０に横置き型パワーユニット５０をパワーユニット支持装置６０によってマウントすることができる。
【００２４】
図１〜図３に示すように、パワーユニット支持装置６０は、動力源前下部側マウント６１、動力源後下部側マウント６２、減速機サイド下側マウント６３、動力源側マウント６４及び減速機側マウント６５を設けた構成である。
【００２５】
動力源前下部側マウント６１、動力源後下部側マウント６２及び減速機サイド下側マウント６３は、パワーユニット５０の重心Ｇｃ（図１参照）の位置よりも下方に配置されて、パワーユニット５０の静荷重を支持する、すなわち、重量を支える静荷重支持マウントである。
【００２６】
一方、動力源側マウント６４及び減速機側マウント６５は、パワーユニット５０の重心Ｇｃ（図１参照）の位置よりも上方に配置された支持部材であり、パワーユニット５０の静荷重を支持しない又はほぼ支持しない。つまり、動力源側マウント６４は、エンジン５１（動力源）のうち、トランスミッション５２とは反対側の端部５１ａに配置された支持部材である。減速機側マウント６５は、トランスミッション５２（減速機）のうち、エンジン５１とは反対側の端部５２ａに配置された支持部材である。
【００２７】
動力源前下部側マウント６１は、車幅中心ＣＬの近傍で下端部をフロントサブフレーム４０の前部横メンバ４２に取り付けて、エンジンブラケット７１を介してエンジン５１の前下部を支持する部材である。この動力源前下部側マウント６１は、例えば上下軸方向の減衰軸線を有する１方向液封エンジンマウントからなる。
【００２８】
動力源後下部側マウント６２は、車幅中心ＣＬの近傍で下端部をフロントサブフレーム４０の後部横メンバ４３に取り付けて、エンジンブラケット７２を介してエンジン５１の後下部を支持する部材である。この動力源後下部側マウント６２は、例えばラバーマウントからなる。
【００２９】
減速機サイド下側マウント６３は、下端部をフロントサブフレーム４０の左の縦メンバ４１Ｌに取り付けて、減速機ブラケット（図示せず）を介してトランスミッション５２の左下部を支持する部材である。この減速機サイド下側マウント６３は、例えばラバーマウントからなる。
【００３０】
動力源側マウント６４は、下端部を右のアッパフレーム２２Ｒに取り付けて、エンジンブラケット７４を介してエンジン５１の右上部５１ａ（すなわち、エンジン５１のうち、トランスミッション５２とは反対側の端部５１ａ）を支持する部材である。
【００３１】
減速機側マウント６５は、下端部を左のアッパフレーム２２Ｌに取り付けて、減速機ブラケット７５を介してトランスミッション５２の左上部５２ａ（及び、トランスミッション５２のうち、エンジン５１とは反対側の端部５２ａ）を支持する部材である。
【００３２】
次に、動力源側マウント６４の詳細な構成を説明する。図４は本発明に係る動力源側マウントの断面図である。図５は図４の５−５線断面図である。
図４及び図５に示すように、動力源側マウント６４は、車体２０とエンジン５１（図１参照）との間に配置され、エンジン５１を振動を防止しつつ支持する防振支持機構であり、２方向液封マウントの機能を有する。従って、動力源側マウント６４は、所定の上下軸方向の減衰軸線Ｖｒ１（及び、ばね軸線Ｖｒ１）及びこの上下軸方向の減衰軸線Ｖｒ１に対する軸直角方向の減衰軸線Ｈｏ１を有する。
ここで、減衰軸線Ｖｒ１に対する軸直角方向の減衰軸線Ｈｏ１とは、減衰軸線Ｖｒ１に対して直角な方向に延びる軸線のことである。
【００３３】
詳しく述べると、動力源側マウント６４は、エンジン５１に取付ける第１取付部材１０１と、車体２０に取付ける筒状の第２取付部材１０２と、これらの第１・第２取付部材１０１，１０２間を連結した弾性部材１０３と、この弾性部材１０３から距離を隔てて第２取付部材１０２に固定したダイヤフラム１０４と、少なくとも弾性部材１０３及びダイヤフラム１０４により区画した第１液室１０５と、この第１液室１０５を弾性部材１０３側の主液室１０６及びダイヤフラム１０４側の副液室１０７に仕切るように第２取付部材１０２に固定した仕切部材１０８とを備える。
【００３４】
これらの第１・第２取付部材１０１，１０２、弾性部材１０３、ダイヤフラム１０４、第１液室１０５及び仕切部材１０８は、動力源側マウント６４における上下軸方向の減衰軸線Ｖｒ上に配列したものである。主液室１０６及び副液室１０７は作動液Ｌｑを封入する空間である。
【００３５】
第１取付部材１０１は、エンジンブラケット７４を介してエンジン５１に取付ける金属製部材である。
第２取付部材１０２は、弾性部材１０３を連結した金属製筒部材１１１と、この金属製筒部材１１１を圧入した金属製ブラケット１１２と、この金属製ブラケット１１２を支持するとともに車体２０に取付けるように構成した樹脂製ブラケット１１３とからなる。
【００３６】
弾性部材１０３は、第１取付部材１０１と第２取付部材１０２との間で伝達される振動を、弾性変形することにより吸収するゴムブロックである。
この弾性部材１０３は、第１取付部材１０１を一体化した上端部から下端部にかけて概ね円柱状を呈した部材であって、下端部から下方へ大きく開放した下部空洞部１２１と、側部から側方へ大きく開放した前後一対又は左右一対の側部空洞部（第１側部空洞部１２２及び第２側部空洞部１２３）とを有する。
【００３７】
図５に示すように、弾性部材１０３を上下方向から見たときに、弾性部材１０３の軸心Ｖｒ１（すなわち、上下軸方向の減衰軸線Ｖｒ１）を通る一方の直線を第１線Ｌ１とし、軸心Ｖｒ１を通り第１線Ｌ１に直交する直線を第２線Ｌ２とする。第１・第２側部空洞部１２２，１２３は、第１線Ｌ１に対して、互いに線対称形である。
第２線Ｌ２は、上下軸方向の減衰軸線Ｖｒ１に対する軸直角方向の減衰軸線である。以下、第２線Ｌ２のことを、適宜「上下軸方向の減衰軸線Ｖｒ１に対する軸直角方向の減衰軸線Ｈｏ１」と言い換えることにする。
【００３８】
図４に示すように、ダイヤフラム１０４は、金属製筒部材１１１の下端（車体２０側）を塞ぐとともに、仕切部材１０８側へ凸となるように湾曲した、薄膜状ゴム材等の弾性材からなり、動力源側マウント６４の軸方向に変位可能である。
【００３９】
仕切部材１０８は、外周面に連通路１０９を形成した円盤状の部材である。連通路１０９は、主液室１０６と副液室１０７との間を連通するオリフィスの機能を有する。以下、連通路１０９のことを「第１オリフィス１０９」と言い換えることにする。
【００４０】
図４及び図５に示すように、金属製筒部材１１１は、内部に弾性部材１０３、ダイヤフラム１０４、仕切部材１０８、側部仕切り部材１３０を組付けた部材である。
【００４１】
側部仕切り部材１３０は、弾性部材１０３に液封性を確保しつつ嵌合することによって取付けたものである。側部仕切り部材１３０と第１側部空洞部１２２とによって第１側部液室１３１を構成し、側部仕切り部材１３０と第２側部空洞部１２３とによって第２側部液室１３２を構成した。第１側部液室１３１及び第２側部液室１３２の組合せ構造は第２液室１３３をなす。第２液室１３３は、作動液Ｌｑを封入する空間である。
【００４２】
さらに側部仕切り部材１３０は、外周面に迷路状の連通路１３４を形成した平面視略Ｃ形状の部材である。この連通路１３４は、第１側部液室１３１と第２側部液室１３２との間を連通するオリフィスの機能を有する。以下、連通路１３４のことを「第２オリフィス１３４」と言い換えることにする。
【００４３】
第２オリフィス１３４の一端１３４ａは、Ｃ形の一方の切欠き端１３５の近傍に且つ上部で、内外貫通した貫通孔である。また、第２オリフィス１３４の他端１３４ｂは、側部仕切り部材１３０において一端１３４ａの斜め下方で、内外貫通した貫通孔である。
このような第２オリフィス１３４は、一端１３４ａから側部仕切り部材１３０の外周面に沿って平面視時計回りに回り、他方の切欠き端１３６の近傍で下方へ降りた後に、元の一方の切欠き端１３５側へ平面視反時計回りに回り、その途中で若干上に延びた後に、他端１３４ｂに連なる。一端１３４ａは第１側部空洞部１２２に連通し、他端１３４ｂは第２側部空洞部１２３に連通する。
【００４４】
次に、上記構成の動力源側マウント６４による振動減衰作用について説明する。
図４に示すように、エンジン５１（図１参照）から動力源側マウント６４に軸方向（軸心Ｖｒ１の方向）の振動が作用した場合には、作動液Ｌｑが第１オリフィス１０９を通って主・副液室１０６，１０７間を流れるとともに、弾性部材１０３が弾性変形することによって、振動を減衰させることができる。
【００４５】
また、エンジン５１から動力源側マウント６４に、軸直角方向の減衰軸線Ｈｏ１の振動や荷重が作用した場合には、作動液Ｌｑが第２オリフィス１３４を通って第１・第２側部液室１０１，１０２間を流れるとともに、弾性部材１０３が弾性変形することによって、振動や荷重を吸収することができる。
【００４６】
次に、上記構成の動力源側マウント６４及び減速機側マウント６５の配置関係について説明する。
図１〜図３に示すように、減速機側マウント６５は、動力源側マウント６４と実質的に同じ構成であり、動力源側マウント６４とは上下逆向きにして配置したものである。すなわち、減速機側マウント６５は、第１取付部材１０１（図４参照）を車体２０の左のアッパフレーム２２Ｌに取付けるとともに、第２取付部材１０２（図４参照）を減速機ブラケット７５を介してトランスミッション５２に取付けた構成である。
【００４７】
図６は本発明に係る車両のパワーユニット支持装置の正面模式図であり、図１に対応させて模式的に表した。図７は本発明に係る車両のパワーユニット支持装置の平面模式図であり、図２に対応させて模式的に表した。
【００４８】
既に述べたことであるが、図６及び図７に示すように、動力源側マウント６４は、所定の上下軸方向の減衰軸線Ｖｒ１（及び、ばね軸線Ｖｒ１、弾性軸線Ｖｒ１）及びこの上下軸方向の減衰軸線Ｖｒ１に対する軸直角方向の減衰軸線Ｈｏ１を有する。
また、図６及び図７に示すように、減速機側マウント６５も、所定の上下軸方向の減衰軸線Ｖｒ２（及び、ばね軸線Ｖｒ２、弾性軸線Ｖｒ２）及びこの上下軸方向の減衰軸線Ｖｒ２に対する軸直角方向の減衰軸線Ｈｏ２を有する。
減速機側マウント６５の上下軸方向の減衰軸線Ｖｒ２は、動力源側マウント６４の上下軸方向の減衰軸線Ｖｒ１と同じ軸線である。減速機側マウント６５の軸直角方向の減衰軸線Ｈｏ２も、動力源側マウント６４の軸直角方向の減衰軸線Ｈｏ１と同じ軸線である。
【００４９】
ここで、減衰軸線Ｖｒ１，Ｖｒ２，Ｈｏ１，Ｈｏ２とは、各マウント６４，６５における減衰方向の軸線のことであり、ばね軸線又は弾性軸線とも言う。ばね軸線や弾性軸線とは、各マウント６４，６５における弾性方向の軸線（中心線）のことであり、いわゆる、荷重の方向と弾性変位の方向とが一致して、角変位を生じない軸のことを言う。
【００５０】
図６に示すように、車両１０を正面から見たときに、動力源側マウント６４の上下軸方向の減衰軸線Ｖｒ１と、減速機側マウント６５の上下軸方向の減衰軸線Ｖｒ２とは、パワーユニット５０の重心Ｇｃの位置よりも上方で交差するように、それぞれ傾斜している。
【００５１】
詳しくは、動力源側マウント６４の上下軸方向の減衰軸線Ｖｒ１は、鉛直線ＶＬに対して車幅中心線ＣＬ側に且つ車体上方に傾斜角θ１だけ傾斜している。減速機側マウント６５の上下軸方向の減衰軸線Ｖｒ２は、鉛直線ＶＬに対して車幅中心線ＣＬ側に且つ車体上方に傾斜角θ２だけ傾斜している。例えば、傾斜角θ１に対して傾斜角θ２は同一である。上下軸方向の減衰軸線Ｖｒ１，Ｖｒ２同士の交点Ｐｖは、パワーユニット５０の重心Ｇｃの位置よりも上方にある。
【００５２】
図７に示すように、各軸直角方向の減衰軸線Ｈｏ１，Ｈｏ２は、車両１０を上から見たときに、車両１０の前後方向及び車幅方向に対してそれぞれ傾斜している。しかも、車両１０を上から見たときに、各軸直角方向の減衰軸線Ｈｏ１，Ｈｏ２は、互いに直角に交差するように傾斜している。
【００５３】
詳しくは、車体前後方向に延びる車幅中心線ＣＬに対して平行な水平線をＨＬとしたときに、動力源側マウント６４の軸直角方向の減衰軸線Ｈｏ１は、水平線ＨＬに対して車幅中心線ＣＬ側に且つ車体後方に傾斜角α１だけ傾斜している。減速機側マウント６５の軸直角方向の減衰軸線Ｈｏ２は、水平線ＨＬに対して車幅中心線ＣＬ側に且つ車体後方に傾斜角α２だけ傾斜している。例えば、傾斜角α１は４５°であり、傾斜角α１に対して傾斜角α２は同一である。軸直角方向の減衰軸線Ｈｏ１，Ｈｏ２同士の交点はＰｈである。
【００５４】
図８は本発明に係る車両のパワーユニット支持装置（変形例）の正面模式図であり、図６に対応させて模式的に表した。
図８に示すように、変形例のパワーユニット支持装置６０は、パワーユニット５０の重心Ｇｃの位置よりも下方に動力源側マウント６４及び減速機側マウント６５を設けたことを特徴とする。この変形例のパワーユニット支持装置６０においても、車両１０を正面から見たときに、動力源側マウント６４の上下軸方向の減衰軸線Ｖｒ１と、減速機側マウント６５の上下軸方向の減衰軸線Ｖｒ２とは、パワーユニット５０の重心Ｇｃの位置よりも上方で交差するように、それぞれ傾斜している。
他の構成については、上記図１〜図７に示す構成と同様であり、同一符号を付し、その説明を省略する。
【００５５】
次に、上記構成のパワーユニット支持装置６０の作用を説明する。
図６及び図８に示すように、上下軸方向の減衰軸線Ｖｒ１，Ｖｒ２を鉛直とした場合を比較例としたときに、比較例における、全てのマウント６１〜６５の複合的な弾性中心Ｅｄは、パワーユニット５０の重心Ｇｃの位置よりも下方にある。
【００５６】
これに対して本発明によれば、図６及び図８に示すように、上下軸方向の減衰軸線Ｖｒ１，Ｖｒ２同士の交点Ｐｖを、パワーユニット５０の重心Ｇｃの位置よりも上方の位置に設定したものである。この結果、動力源側マウント６４及び減速機側マウント６５だけから定まる弾性中心は、前記交点Ｐｖの位置になるため、全てのマウント６１〜６５の複合的な弾性中心Ｅｕを、比較例の弾性中心Ｅｄから上方へ移動させることができる。従って、複合的な弾性中心Ｅｕをパワーユニット５０の重心Ｇｃの位置に概ね一致させることができる。
【００５７】
また、特に図６の例では、車両１０の旋回時に、車体２０（図１参照）がローリングしたときに、パワーユニット５０は左右に回転を伴う揺動をしようとする。これに対して、動力源側マウント６４及び減速機側マウント６５は、パワーユニット５０における左右の各端部の上側（重心Ｇｃよりも上方）に配置されている。従って、パワーユニット５０の揺動運動の接線方向と減衰軸線（ばね軸線）Ｖｒ１，Ｖｒ２とを一致させることで、パワーユニット５０の揺動運動を規制し、減衰することができる。この結果、パワーユニット５０の左右方向の変位モードを、回転を伴わない並進運動（水平変位運動）モードにすることができる。その詳細については、後でも説明する。
【００５８】
図９（ａ），（ｂ）はパワーユニット支持装置を備えた車両の作用図であり、正面から見た車両を図６に対応させて模式的に表した。（ａ）は比較例の車両１０Ａを示し、（ｂ）は実施例の車両１０を示した。
【００５９】
図９（ａ）に示すように、比較例の車両１０Ａに備えたパワーユニット支持装置６０は、静荷重支持マウント６１〜６３及び動力源側マウント６４Ａを、パワーユニット５０の重心Ｇｃの高さよりも下方に配置するとともに、全てのマウント６１〜６３，６４Ａの複合的な弾性中心Ｅｄを、パワーユニット５０の重心Ｇｃの位置よりも下方に設定したものである。
【００６０】
ところで、車両１０Ａを左右一方へ旋回させたときには、旋回中の車両１０Ａに遠心力がかかるので、左右の車輪８１Ｌ，８１Ｒを懸架する各サスペンション（図示せず）のうち、旋回外側のダンパやバネは縮み、旋回内側のダンパやバネは伸びる。この結果、車体２０は旋回外側が沈み込むとともに旋回内側が持ち上がるように傾く、いわゆるロール運動（ローリング。重心を通る車体２０の前後方向軸まわりの回転運動。）をする。
【００６１】
例えば、車両１０Ａを進行方向左へ旋回させたときには、車体２０は図反時計回りにロール運動をする。このときに、パワーユニット５０は慣性によって現状を維持しようとするので、この結果、旋回内側である左方向へ慣性力ｆｉが発生する。パワーユニット５０の重心Ｇｃの位置が、全てのマウント６１〜６４の複合的な弾性中心Ｅｄよりも上方にあるので、パワーユニット５０には弾性中心Ｅｄを中心としたモーメントが働く。このため、パワーユニット５０は車体２０に対し、水平方向に変位するだけではなく、弾性中心Ｅｄを中心としたロール運動をもすることになる。いわゆる、水平変位運動とロール運動との連成モード（互いに影響し合う運動関係）になる。車両１０Ａの操縦安定性や乗り心地を十分に高めるには、重量物であるパワーユニット５０の挙動が車体２０に及ぼす影響を、抑制することが好ましい。
【００６２】
これに対して、図９（ｂ）に示すように、実施例のパワーユニット支持装置６０は、動力源側マウント６４の上下軸方向の減衰軸線Ｖｒ１と、減速機側マウント６５の上下軸方向の減衰軸線Ｖｒ２とを、車幅中央側に且つ上方に傾けて重心Ｇｃの上方で交差させることで、全てのマウント６１〜６５の複合的な弾性中心Ｅｕを、パワーユニット５０の重心Ｇｃの位置に概ね一致させた構成である。
【００６３】
このため、例えば車両１０を進行方向左へ旋回させたときに、パワーユニット５０の慣性力ｆｉによるモーメントは、ほとんど働かない。車体２０に対し、パワーユニット５０はロール運動をほとんどすることなく、ほぼ水平方向に変位するだけである。この結果、走行中に重量物である横置き型のパワーユニット５０の挙動が車体２０に及ぼす影響を、抑制することができる。車両１０の操縦安定性を一層高めるとともに、乗り心地を一層良くすることができる。
【００６４】
また、特に図９の例においては、動力源側マウント６４及び減速機側マウント６５は、パワーユニット５０における左右の各端部の上側（重心Ｇｃよりも上方）に配置されている。従って、ロール運動の方向と減衰軸線（ばね軸線）Ｖｒ１，Ｖｒ２とを一致させ、より一層効果的にロール運動を規制、減衰して、パワーユニット５０の変位を水平方向にすることができる。
【００６５】
しかも、車両１０を正面から見たときに、上下軸方向の減衰軸線Ｖｒ１，Ｖｒ２同士をパワーユニット５０の重心Ｇｃの位置よりも上方で交差するように、それぞれ傾斜させただけの簡単な構成によって、マウント全体の弾性中心Ｅｕを最適な高さに自由に設定することができる。従って、マウント全体の弾性中心Ｅｕを最適な高さに設定するのに、パワーユニット５０の重心Ｇｃの位置に対して、動力源側マウント６４及び減速機側マウント６５の支持高さを比較的自由に設定することができる。従って、車両設計の自由度を高めることができる。
【００６６】
さらには、このような静荷重支持マウント６１〜６３、動力源側マウント６４及び減速機側マウント６５を設けたので、横置き型のパワーユニット５０の振動が車体２０に伝達されることを抑制することができる。
【００６７】
さらには、図７に示すように、車両１０を上から見たときに、動力源側マウント６４の軸直角方向の減衰軸線Ｈｏ１及び減速機側マウント６５の軸直角方向の減衰軸線Ｈｏ２を、車両１０の前後方向及び車幅方向に対してそれぞれ傾斜させたので、パワーユニット５０の前後方向及び車幅方向の各荷重（振動を含む）を効率良く抑制することができる。
このため、車両１０がロール運動、ピッチ運動、ヨー運動等の挙動をした際に、重量物である横置き型のパワーユニット５０の慣性による挙動が車体２０に及ぼす影響を、抑制することができる。従って、車両１０の操縦安定性をより一層高めるとともに、乗り心地をより一層良くすることができる。
【００６８】
さらにまた、図７に示すように、車両１０を上から見たときに、各軸直角方向の減衰軸線Ｈｏ１，Ｈｏ２を、互いに直角に交差するように傾斜させたので、パワーユニット５０の前後方向及び車幅方向の各荷重（振動を含む）を、より一層効率良く抑制することができる。
【００６９】
なお、本発明は実施の形態では、車両１０は、車体２０の前部に備えたパワーユニット収容室３１にパワーユニット５０を収容した構成に限定されるものではなく、例えば、車体２０の中央部に備えたパワーユニット収容室３１にパワーユニット５０を収容した構成であってもよい。
また、パワーユニット５０は、フロントサブフレーム４０を介して車体２０にマウントする構成に限定されるものではなく、車体２０に直接マウントする構成であってもよい。
また、動力源５１はエンジンに限定されるものではなく、例えば電動モータであってもよい。減速機５２はトランスミッションに限定されるものではなく、単に減速機構だけの構成であってもよい。
【００７０】
また、動力源側マウント６４及び減速機側マウント６５は、上下軸方向の減衰軸線Ｖｒ１，Ｖｒ２と軸直角方向の減衰軸線Ｈｏ１，Ｈｏ２とを有する２方向減衰構造であればよく、液封マウントの構成に限定されるものではなく、例えばラバーマウントの構成であってもよい。
また、動力源側マウント６４及び減速機側マウント６５において、第１取付部材１０１は動力源５１（又は減速機５２）と車体２０との一方に取付けるとともに、第２取付部材１０２は動力源５１（又は減速機５２）と車体２０との他方に取付ける構成であればよい。
また、上下軸方向の減衰軸線Ｖｒ１，Ｖｒ２の傾斜角θ１，θ２及び軸直角方向の減衰軸線Ｈｏ１，Ｈｏ２の傾斜角α１，α２の大きさは任意であり、例えば、交点Ｐｖ，Ｐｈが車幅中心線ＣＬに合致、又は、重心Ｇｃを通り車幅中心線ＣＬに平行な直線に合致する角度に設定してもよい。
【産業上の利用可能性】
【００７１】
本発明のパワーユニット支持装置６０は、車体２０の前部や中間部において、動力源５１と減速機５２とを車幅方向に並べて互いに結合した構成の横置き型のパワーユニット５０を配置し、このパワーユニット５０の静荷重を、パワーユニット５０の重心Ｇｃよりも下方に配置された静荷重支持マウント６１〜６３で支持した構成に好適である。
【図面の簡単な説明】
【００７２】
【図１】本発明に係る車両の前部及びパワーユニット支持装置の正面図である。
【図２】本発明に係る車両の前部及びパワーユニット支持装置の平面図である。
【図３】本発明に係る車両の前部及びパワーユニット支持装置の斜視図である。
【図４】本発明に係る動力源側マウントの断面図である。
【図５】図４の５−５線断面図である。
【図６】本発明に係る車両のパワーユニット支持装置の正面模式図である。
【図７】本発明に係る車両のパワーユニット支持装置の平面模式図である。
【図８】本発明に係る車両のパワーユニット支持装置（変形例）の正面模式図である。
【図９】パワーユニット支持装置を備えた車両の作用図である。
【図１０】従来の車両のパワーユニット支持装置の説明図である。
【符号の説明】
【００７３】
１０…車両、２０…車体、３１…パワーユニット収容室、５０…横置き型のパワーユニット、５１…動力源（エンジン）、５１ａ…動力源のうち減速機とは反対側の端部、５２…減速機（トランスミッション）、５２ａ…減速機のうち動力源とは反対側の端部、６０…パワーユニット支持装置、６１〜６３…静荷重支持マウント、６４…動力源側マウント、６５…減速機側マウント、Ｇｃ…パワーユニットの重心、Ｈｏ１…動力源側マウントの軸直角方向の減衰軸線、Ｈｏ２…減速機側マウントの軸直角方向の減衰軸線、Ｖｒ１…動力源側マウントの上下軸方向のばね軸線（減衰軸線）、Ｖｒ２…減速機側マウントの上下軸方向のばね軸線（減衰軸線）。
【図１】
2006188078.tif 000003
【図２】
2006188078.tif 000004
【図３】
2006188078.tif 000005
【図４】
2006188078.tif 000006
【図５】
2006188078.tif 000007
【図６】
2006188078.tif 000008
【図７】
2006188078.tif 000009
【図８】
2006188078.tif 000010
【図９】
2006188078.tif 000011
【図１０】
2006188078.tif 000012